【事件の表示】
　特許第２８６１８７３号「高周波機器のシールドケース」の請求項１ないし５に係る特許に対する特許異議の申立てについて、次のとおり決定する。
【結　論】
　訂正を認める。
　特許第２８６１８７３号の請求項１ないし３に係る特許を維持する。
【理　由】
1．手続の経緯
　特許第２８６１８７３号の請求項１乃至５に係る発明は、平成７年７月２５日に特許出願され、平成１０年１２月１１日にその発明について特許の設定登録がなされ、その後、全請求項に係る特許について、特許異議申立人・池田英治により特許異議の申立があったので、当該申立の理由について、当審において検討のうえ、特許取消理由通知を通知し、その指定期間内である平成１２年４月１３日に訂正請求がなされたものである。
　
２．訂正請求について
２−１．訂正の要旨
　上記訂正請求における訂正の要旨は、次のとおりである。
　特許明細書の請求項１，２，３，５を削除し、同請求項４の
「【請求項４】前記非接触の部分の前記フレームベースと前記カバーの間隙が０．３〜０．８ｍｍであることを特徴とする請求項１から３のいずれか一に記載の高周波機器のシールドケース。」という記載を、
「【請求項１】鋼板を打ち抜き折り曲げて開口面に平行な面からなるつなぎ部が形成された中側の各パートの仕切り及び外側のフレームベース側板を組み立てたシールド機能を有するフレームベースと、前記つなぎ部の前記開口面に平行な面及びこのフレームベースの上縁又は／及び下縁が受け、フレームベースに嵌着するシールド機能を有するカバーとからなる高周波機器のシールドケースであって、前記カバーと、前記つなぎ部を除いた前記フレームベースの上縁又は／及び下縁との非接触の部分がこのフレームベースの上縁又は／及び下縁各々の全長の６０％以上であるとともに、前記非接触の部分の前記フレームベースと前記カバーの間隙が０．３〜０．８ｍｍであることを特徴とする高周波機器のシールドケース。
　【請求項２】鋼板を打ち抜き折り曲げて開口面に平行な面からなるつなぎ部が形成された中側の各パートの仕切り及び外側のフレームベース側板を組み立てたシールド機能を有するフレームベースと、前記つなぎ部の前記開口面に平行な面のみが受け、フレームベースに嵌着するシールド機能を有するカバーとからなる高周波機器のシールドケースであって、前記カバーと、前記つなぎ部を除いた前記フレームベースの上縁又は／及び下縁との非接触の部分の前記フレームベースと前記カバーの間隙が０．３〜０．８ｍｍであることを特徴とする高周波機器のシールドケース。
　【請求項３】鋼板を打ち抜き折り曲げて開口面に平行な面からなるつなぎ部が形成された中側の各パートの仕切り及び外側のフレームベース側板を組み立てたシールド機能を有するフレームベースと、前記つなぎ部の前記開口面に平行な面及びこのフレームベースの上縁又は／及び下縁が受け、フレームベースに嵌着するシールド機能を有するカバーとからなり前記中側のパートの仕切りに局部発振器を収容する高周波機器のシールドケースであって、この局部発振器を取り囲むフレームベースの仕切りの上縁又は／及び下縁のうちカバーと非接触の部分がこの局部発振器を取り囲むフレームベースの上縁又は／及び下縁各々の全長の８０％以上であるとともに、前記非接触の部分の前記フレームベースと前記カバーの間隙が０．３〜０．８ｍｍであることを特徴とする高周波機器のシールドケース。」
に訂正する。
（以下、上記請求項１乃至３に記載された事項により特定される発明を、「訂正明細書の請求項１乃至３に係る発明」という。）
２−２．訂正の適否についての判断
２−２−１．訂正の目的の適否、新規事項の有無、拡張・変更の存否
　上記訂正は、特許明細書の請求項１，２，３，５を削除するとともに、特許明細書の請求項１，２，３を択一的に引用して記載した請求項４を、独立形式請求項とするため請求項の番号を繰り上げて、請求項１，２，３として訂正するものであるから、特許請求の範囲の減縮に該当するものであり、新規事項の追加に該当せず、また、実質的に特許請求の範囲を拡張し、又は変更するものではない。
２−２−２．独立特許要件の適否
　訂正明細書の請求項１乃至３に係る発明と当審が通知した取消理由で引用した刊行物１（実願昭５８−１９４２９号（実開昭５９−１２５８９０号）のマイクロフィルム）に記載された発明とを対比すると、両者は、「カバーとフレームベースの上縁との非接触の部分」を形成する点では一致しているが、上記刊行物１には、訂正明細書の請求項１乃至３に係る発明を特定するための事項である「非接触の部分のフレームベースとカバーの間隙が０．３〜０．８ｍｍであること」という数値限定については記載されていない。
　そして、上記数値限定の技術的意義として、特許明細書の段落番号【０００７】には、「非接触の部分の間隙が０．３ｍｍ以上あるので打振時にカバーが振動してもカバーとフレームベース側板上縁が接触してノイズを発生することはない。」、「間隙が０．８ｍｍ以下であるのでシールド効果も維持できる。」と記載されており、上記数値限定は、振動によりノイズが発生することを防止するという点で技術的意義があるといえるから、振動によるノイズの発生の防止について何ら考慮していない上記刊行物１に記載された発明に基づいて、当業者が上記数値限定を容易に想到できたものであるとは、いうことができない。
　よって、訂正明細書の請求項１乃至３に係る発明は、上記刊行物１に記載された発明であるといえないばかりでなく、上記刊行物１に記載された発明に基づいて、当業者が容易に発明をすることができたものであるともいえないから、特許出願の際独立して特許を受けることができるものである。
２−２−３．むすび
　以上のとおりであるから、上記訂正は、平成１１年改正前の特許法第１２０条の４第２項の規定及び同条第３項において準用する特許法第１２６条第２項から第４項までの規定に適合するので、当該訂正を認める。
　
３．特許異議申立について
３−１．特許異議申立の理由の概要
　特許異議申立人は、本件特許の請求項１乃至５に係る発明は、甲第１号証（上記刊行物１）及び甲第２号証（実願昭５７−２０２２７９号（実開昭５９−１０６２４０号）のマイクロフィルム）に記載された発明に基づいて、当業者が容易に発明をすることができたものであり、特許法第２９条第２項の規定により、特許を受けることができないものであるから、本件特許を取り消すべき旨を主張している。
３−２．本件特許発明
　本件各特許発明は、上記訂正が認められることにより、全文訂正明細書の特許請求の範囲の請求項１乃至３（上記２−１．の請求項１乃至３）に記載された事項により特定される発明である。（以下、上記請求項１乃至３に記載された事項により特定される発明を、「本件請求項１乃至３に係る発明」という。）
３−３．当審の判断
　本件請求項１乃至３に係る発明と上記甲第１号証及び甲第２号証に記載された発明とを対比すると、両者は、「カバーとフレームベースの上縁との非接触の部分」を形成する点では一致しているが、上記甲第１号証及び甲第２号証には、本件請求項１乃至３に係る発明を特定するための事項である「非接触の部分のフレームベースとカバーの間隙が０．３〜０．８ｍｍであること」という数値限定については記載されていない。
　特許異議申立人・池田英治は、『「０．３〜０．８ｍｍである」との数値範囲は、単なる設計事項以外のなにものでもない。』（特許異議申立書第１５頁第２行〜第３行）旨主張しているので、以下、この点について検討する。
　上記数値限定の技術的意義として、特許明細書の段落番号【０００７】には、「非接触の部分の間隙が０．３ｍｍ以上あるので打振時にカバーが振動してもカバーとフレームベース側板上縁が接触してノイズを発生することはない。」、「間隙が０．８ｍｍ以下であるのでシールド効果も維持できる。」と記載されており、上記数値限定は、振動によりノイズが発生することを防止するという点で技術的意義があるといえるから、振動によるノイズの発生の防止について何ら考慮していない上記甲第１号証及び甲第２号証に記載された発明に基づいて、当業者が上記数値限定を容易に想到できたものであるとは、いうことができない。
　よって、本件請求項１乃至３に係る発明は、上記甲第１号証及び甲第２号証に記載された発明に基づいて、当業者が容易に発明をすることができたものであるとはいえない。
　
４．むすび
　以上のとおりであるから、特許異議申立の理由及び証拠によっては、本件請求項１乃至３に係る発明の特許を取り消すことはできない。
　また、他に本件請求項１乃至３に係る発明の特許を取り消すべき理由を発見しない。
　よって、結論のとおり決定する。
【異議決定日】
平成１２年５月１０日（２０００．５．１０）
【訂正の要旨】
（訂正の要旨）
　特許明細書の請求項１，２，３，５を削除し、同請求項４の
「【請求項４】前記非接触の部分の前記フレームベースと前記カバーの間隙が０．３〜０．８ｍｍであることを特徴とする請求項１から３のいずれか一に記載の高周波機器のシールドケース。」という記載を、
「【請求項１】鋼板を打ち抜き折り曲げて開口面に平行な面からなるつなぎ部が形成された中側の各パートの仕切り及び外側のフレームベース側板を組み立てたシールド機能を有するフレームベースと、前記つなぎ部の前記開口面に平行な面及びこのフレームベースの上縁又は／及び下縁が受け、フレームベースに嵌着するシールド機能を有するカバーとからなる高周波機器のシールドケースであって、前記カバーと、前記つなぎ部を除いた前記フレームベースの上縁又は／及び下縁との非接触の部分がこのフレームベースの上縁又は／及び下縁各々の全長の６０％以上であるとともに、前記非接触の部分の前記フレームベースと前記カバーの間隙が０．３〜０．８ｍｍであることを特徴とする高周波機器のシールドケース。
　【請求項２】鋼板を打ち抜き折り曲げて開口面に平行な面からなるつなぎ部が形成された中側の各パートの仕切り及び外側のフレームベース側板を組み立てたシールド機能を有するフレームベースと、前記つなぎ部の前記開口面に平行な面のみが受け、フレームベースに嵌着するシールド機能を有するカバーとからなる高周波機器のシールドケースであって、前記カバーと、前記つなぎ部を除いた前記フレームベースの上縁又は／及び下縁との非接触の部分の前記フレームベースと前記カバーの間隙が０．３〜０．８ｍｍであることを特徴とする高周波機器のシールドケース。
　【請求項３】鋼板を打ち抜き折り曲げて開口面に平行な面からなるつなぎ部が形成された中側の各パートの仕切り及び外側のフレームベース側板を組み立てたシールド機能を有するフレームベースと、前記つなぎ部の前記開口面に平行な面及びこのフレームベースの上縁又は／及び下縁が受け、フレームベースに嵌着するシールド機能を有するカバーとからなり前記中側のパートの仕切りに局部発振器を収容する高周波機器のシールドケースであって、この局部発振器を取り囲むフレームベースの仕切りの上縁又は／及び下縁のうちカバーと非接触の部分がこの局部発振器を取り囲むフレームベースの上縁又は／及び下縁各々の全長の８０％以上であるとともに、前記非接触の部分の前記フレームベースと前記カバーの間隙が０．３〜０．８ｍｍであることを特徴とする高周波機器のシールドケース。」
に訂正する。
（５４）【発明の名称】
高周波機器のシールドケース
（５７）【特許請求の範囲】
　【請求項１】
　鋼板を打ち抜き折り曲げて開口に平行なからなるつなぎ部が形成された中側の各パートの仕切り及び外側のフレームベース側を組み立てたシールド機能を有するフレームベースと、前記つなぎ部の前記開口に平行な及びこのフレームベースの上縁又は／及び下縁が受け、フレームベースに嵌着するシールド機能を有するカバーとからなる高周波機口のシールドケースであって、前記カバーと、前記つなぎ部を除いた前記フレームベースの上縁又は／及び下縁との非接触の部分がこのフレームベースの上緑又は／及び下縁各々の全の６０％以上であるとともに、前記非接触の部分の
る高
　【請求項２】
　鋼板を打ち抜き折り曲げて開口面に平行な面からなるつなぎ部が形成された中側の各パートの仕切り及び外側のフレームベース側板を組み立てたシールド機能を有するフレームベースと、前記つなぎ部の前記開口面に平行な面のみが受け、フレームベースに嵌着するシールド機能を有するカバーとからなる高周波機器のシールドケースであって、前記カバーと、前記つなぎ部を除いた前記フレームベースの上縁又／及び下縁との
る高
　【請求項３】
　鋼板を打ち抜き折り曲げて開口面に平行な面からなるつなぎ部が形成された中側の各パートの仕切り及び外側のフレームベース側を組み立てたシールド機能を有するフレームベースと、前記つなぎ部の前記開口面に平行な面及びこのフレームベースの上縁又は／及び下縁が受け、フレームベースに嵌着するシールド機能をするカバーとからなり前記中側のパートの仕切りに局部発振器を収容する高周波機器のシールドケースであってこの局部発振器を取りむフレームベースの切りの上緑又は／及び縁のうちカバーと非接触の部分がこの局部発振器を取りむフレームベースの上縁又は／及び下縁各々の全長の８０％以上であるとともに、
る高
【発明の詳細な説明】
　【０００１】
　【産業上の利用分野】
　本発明は、コードレスホン等の高周波機器で使用するシールドケースのフレームベース及びカバーに関する。
　【０００２】
　【従来の技術】
　高周波機器に使用されるシールドケースは約０．３〜１．０ｍｍの薄い表面処理鋼板を打ち抜き板金技術で折り曲げ、組み立てられたフレームベースとカバーとから形成されている。矩形状のフレームベースの中側は図６に示すように高周波回路の各パートに仕切られており、この仕切り板３も外側のフレームベース１と連結した鋼板を折り曲げて作られている。この連結した部分はつなぎ部４と呼ばれフレームベース１の補強材兼カバー受けになっている。このようなフレームベース１に上側と下側からカバーを嵌着してシールドケースはできている。
　【０００３】
　従来から、コードレスホン等の高周波機器のシールドケースは図７の断面図に示すようにフレームベース１の上縁とつなぎ部４とを面一に設計し、カバー２を被せた時につなぎ部４の上面とフレームベース１の上縁全体できっちりと受ける構造になっていた。
　【０００４】
　しかし、フレームベース１を組み立てた時の若干の変形や加工の寸法誤差はさけられず、フレームベース１の上縁とつなぎ部４の高さに差が生じ、フレームベース１の上縁とカバー２間に部分的に隙間ができたり不完全な嵌着が起こったりすることがあった。一方、高周波機器ではアース方法は極めて重要であり、シールドケースに収納している回路基板のアースパターン（図示せず）を回路基板の端部に数ケ所引き出して、フレームベース１のアース端子（図示せず）を折り曲げ近接させてハンダ付けしフレームベースをアースとして機能させ、電気的に接続状態が変化しないように注意を払う必要があった。
　【０００５】
　【発明が解決しようとする課題】
　しかし、振動や検査の打診時にノイズが発生することがあった。コードレスホンが振動でノイズを発生するのは問題であり、本発明はこのような状況に鑑みなされたもので、目的とするところはノイズの出ない高周波機器のシールドケースを提供するにある。
　【０００６】
　【課題を解決するための手段】
　フレームベースとこのフレームベースに嵌着するカバーとからなる高周波機器のシールドケースであって、前記フレームベースの上下縁のうち前記カバーと非接触である部分をフレームベース上下縁夫々の長さの全長の６０％以上である高周波機器のシールドケースを提供する。また、フレームベースとこのフレームベースに嵌着するカバーとからなる高周波機器のシールドケースであって、局部発信機を取り囲むフレームベースの上下縁のうちカバーと非接触の部分をフレームベース上下縁各々の全長の８０％以上である高周波機器のシールドケースを提供する。また、前記フレームベースと前記カバーの非接触である部分の間隙を０．３〜０．８ｍｍの高周波機器のシールドケースを提供する。また、非接触の部分形成のためにフレームベース上下縁を切り欠いた高周波機器のシールドケースを提供する。また、非接触の部分形成のためにカバー側を変形した高周波機器のシールドケースを提供する。
　【０００７】
　【作用】
　シールドケースのフレームベース上下縁とカバーとの接触部を主につなぎ部と突起部に限るので打振時に接触範囲が変化することがない。また、非接触の部分の間隙が０．３ｍｍ以上あるので打振時にカバーが振動してもカバーとフレームベース側板上縁が接触してノイズを発生することはない。また、フレームベースの組み立てで若干の変形が生じたりカバーに寸法誤差があってもフレームベースとカバーの非接触は確実に保持されるし、間隙が０．８ｍｍ以下であるのでシールド効果も維持できる。
　【０００８】
　【実施例】
　以下に本発明の実施例を図１〜図５の図面を参照して説明する。図１は本発明のシールドケースの分解斜視図である。このシールドケース１００は高周波回路のパート毎に仕切られたフレームベース１０の上部から上カバー２０を、下部から下カバー２１を嵌着した構造になっている。図２は図１を組立てたシールドケース１００の一点鎖線ＡーＡでの断面図である。４０はつなぎ部、４１は突起部、４２は非接触の部分である。図３はフレームベース１０の斜視図で３０は仕切り板、５０と６０はフレームベース側板、５１はカシメ穴、６１はカシメ端子である。図５はフレームベースの一部仕切り板を含む組み立て前の抜き型の展開図である。
　【０００９】
　シールドケース１００は０．３〜１．０ｍｍの薄い表面処理鋼板でできており図１に示すようにフレームベース１０とそれに嵌着する上カバー２０と下カバー２１とからできている。本事例では０．４ｍｍ厚のハンダメッキ鋼板（ターンメタル＝新日鉄株式会社製）を使用した。フレームベース１０のフレームベース側板５０及び６０と上カバー２０と下カバー２１の接触部分は図２に示すようにつなぎ部４０と接触部４１とであり、フレームベース側板５０、６０とカバーとの接触部が隅のつなぎ部だけの場合は非接触部が長いのでつなぎ部とつなぎ部の間に数箇所の突起部４１を設けたらよいが本事例ではフレームベースが小さいので中央に一ヶ所だけ突起部４１を設けている。非接触の部分はフレームベースの縁の全長の６０％以上あればノイズの範囲が規格範囲に入り、フレームベースとカバーの嵌着も強固になる。図４に示すように特に回路のホットなパート即ち局部発振器７０は振動接触に対して鋭敏であり、これをとり囲むフレームベースの上縁又は／及び下縁のカバーと非接触な部分７１が８０％以上あることが望ましい
　【００１０】
　シールドケースのフレームベースは図３に示すように回路の各パートを分ける仕切り板３０で仕切られており、これらの仕切り板３０はつなぎ部４０でフレームベース側板と連結されている。このフレームベースの作り方は、先ず図５に示す展開図を一枚のハンダメッキ鋼板から打ち抜き、中側の各パートの仕切り（一部のみ表示）を同図の点線にそって折り曲げて形成する。次に、外側のフレームベース側板５０および６０をやはり点線にそって折り曲げ、フレームベース側板５０および６０のカシメ穴５１にカシメ端子６１を挿入しカシメて矩形状のフレームベース１０を組み立てる。このように折り曲げた部分はに形成されるつなぎ部４０はカバー受けとしてだけでなくフレームベースの補強材になっている。このようなフレームベース１０に上側から上カバー２０を下側から下カバー２１を嵌着してシールドケース１００は完成する。
　【００１１】
　本発明の、コードレスホン等の高周波機器のシールドケース１００のフレームベース１０は図２の断面図に示すように高さ０．８ｍｍの非接触の部分４２を設けてフレームベース１０の上下縁の高さをこのつなぎ部４０や突起部４１の高さより低くし、上カバー２０と下カバー２１を被せた時につなぎ部４０の上面とフレームベース１０の突起部４１のみがカバー２０、２１に接触する構造になっている。このため、フレームベース１０と上カバー２０、下カバー２１とを組み立てた時の若干の変形や加工の寸法誤差があってもそれを吸収することになり、カバー２０、２１とフレームベース１０の上下縁とが非接触状態に保てるので、振動や打診時にノイズを発生させることがない。一方、フレームベース側面の非接触の部分は高さが高々０．８ｍｍ程度なので、シールド効果を失うこともない。本事例ではフレームベース１０を切り欠き非接触の部分４２を設けたがカバー２０、２１をプレス等で加工して同様な非接触の部分４２を設けても良い。また、この間隙はカバー２０、２１の厚さと非接触の部分４２の長さの関係で決められるが０．３〜２ｍｍの範囲であってもある程度の効果を得られる。
　【００１２】
　【発明の効果】
　シールドケースのフレームベース上下縁とカバーとの接触部を主につなぎ部と突起部に限るので打振時に接触範囲が変化してノイズを発生することがない。また、接触部分が大きくないのでフレームベースとカバーの嵌着が接触部で妨げられることがなく強固に行なわれる。
【図面の簡単な説明】
　【図１】　本発明のシールドケースの分解斜視図
　【図２】　本発明のシールドケースの側断面図
　【図３】　本発明のフレームベースの斜視図
　【図４】　本発明のシールドケースの局部発振器を取り囲む部分の斜視図
　【図５】　本発明のフレームベースの一部仕切り板を含む抜き型展開図
　【図６】　従来のフレームベースの斜視図
　【図７】　従来のシールドケースの側断面図
　【符号の説明】
１０　フレームベース
２０　カバー（上カバー）
２１　カバー（下カバー）
４２　カバーと非接触である部分
１００　シールドケース